(57)【要約】【課題】  ブロック壁体に線・管類を配設する場合、ブロック壁体に対して穴開け加工や穴埋め作業等を専門業者でない線・管類の配設業者が行うのは非常に面倒であり、しかも穴埋めの仕上がりが専門業者ほどきれいにならない。【解決手段】  ブロック壁体１０を構成する任意のブロック１の前壁１１部分を切断して該ブロック１を分離前壁１１Ａと前壁分離ブロック１Ａとに分離しておき、前壁分離ブロック１Ａをブロック壁体の一部として線・管類配設位置に組込んでブロック壁体１０を構築し、続いて前壁分離ブロック１Ａが位置する前面開口部１９から線・管類４をブロック壁体１０内に配設した後、前面開口部１９に分離前壁１１Ａを組付けるようにすることで、ブロック壁体の構築から線・管類の配設までの作業をブロック施工業者だけで行え、且つブロック壁体外面の補修もブロック施工業者が連続して行える。【選択図】      図７
2006314163.tif 000002
【特許請求の範囲】
【請求項１】
内部に空間部を有する多数個の型枠状ブロック（１，２）を上下・左右に組積みして構築したブロック壁体（１０）内に電線や管等の線・管類（４）を配設するためのブロック壁体への線・管類配設方法であって、
前記ブロック壁体（１０）を構成する任意のブロック（１）の前壁（１１）部分を切断して該ブロック（１）を分離前壁（１１Ａ）と前壁分離ブロック（１Ａ）とに分離しておき、
前記前壁分離ブロック（１Ａ）をブロック壁体の一部として線・管類配設位置に組込んで前記ブロック壁体（１０）を構築し、
続いて前記前壁分離ブロック（１Ａ）が位置する前面開口部（１９）から前記線・管類（４）をブロック壁体（１０）内に配設した後、前記前面開口部（１９）に前記分離前壁（１１Ａ）を組付けることを特徴とするブロック壁体への線・管類配設方法。
【請求項２】
請求項１において、前壁分離ブロック（１Ａ）の前面開口部（１９）に組付けられる分離前壁（１１Ａ）は、前記前面開口部（１９）の天井面及び底面に対してそれぞれピン（６，７）により結合させるようにしていることを特徴とするブロック壁体への線・管類配設方法。
【発明の詳細な説明】
【技術分野】
【０００１】
本願発明は、多数の型枠状ブロックを上下・左右に組積みして構築したブロック壁体内に電線や管等の線・管類を配設するためのブロック壁体への線・管類配設方法に関するものである。
【背景技術】
【０００２】
建築物の壁体として、多数の型枠状ブロックを上下・左右に組積みして構築したブロック壁体がある。この種のブロック壁体に使用される各ブロックは、少なくとも前壁と後壁を有し且つ該前後各壁を少なくとも２つの連結壁で連結して、内部に縦向きの空間部を有する状態で成形されている。尚、この種の型枠状ブロックとして、前壁と後壁の間に１つ又は２つの中間壁を設けた３重壁や４重壁としたものもある。そして、この型枠状ブロックを使用して構築したブロック壁体には、上下に連続する縦空間部が形成されている。
【０００３】
又、この種の型枠状ブロックで構築された建築物壁体には、ブロック壁体内に電線、水管（又はガス管）等の線・管類を配設することがあるが、この線・管類は、ブロック壁体を内外に貫通させたりあるいは屋外側からブロック壁体内の縦空間部を通して屋内側に導いたりしている。
【０００４】
ところで、ブロック壁体内に線・管類を配設するのに、各ブロックの組積み作業と線・管類の配設作業とを同時進行的に行うのは、非常に面倒であり、且つブロックの組積み作業と線・管類の配設作業とは作業する業者が異なるので、上記両作業を同時進行することはほとんど行われていない。
【０００５】
そして、従来では、ブロック壁体に対して線・管類を配設するには、各ブロックを組積みしてブロック壁体を構築した後に、そのブロック壁体に線・管類を配設するようにしている。因に、線・管類をブロック壁体の内外に貫通させて配設する場合には、所定位置のブロックに壁体内外に貫通する貫通穴を形成して、線・管類を該貫通穴を通して配設し、他方、線・管類（フレキシブルなものに限る）を屋外側からブロック壁体内（縦空間部内）を通して屋内側に導く場合には、所定位置のブロックの前壁（屋外側の壁面）に穴を開けてその穴から線・管類を縦空間部内に進入させた後、ブロック壁体上部から屋内側に導く。又、線・管類をブロック壁体に配設した後には、ブロック壁体の前面に形成した穴（線・管類が挿通されている）を塞ぐ必要がある。
【０００６】
尚、ブロック壁体内に線・管類を配設した公知文献として、例えば特許文献１（特開２００１−１０７４８５号公報の図３）に示されるものがある。この特許文献１に記載された線・管類の配設構造では、ブロック壁体内に形成された副空洞（空間部）に線・管類を配設しているが、該線・管類を副空洞にどのようにして配設するのかについての記載はない。
【０００７】
【特許文献１】特開２００１−１０７４８５号公報
【発明の開示】
【発明が解決しようとする課題】
【０００８】
ところで、完成させたブロック壁体に線・管類を配設するのに、従来では、線・管類の配設業者が所定位置のブロックに穴を開けて、その穴からブロック壁体に線・管類を配設し、その後に穴部分を塞ぐ（穴埋めする）、という作業を行っているが、ブロック壁体に対して線・管類配設用の穴開け加工や線・管類配設後の穴埋め作業等を専門業者でない線・管類の配設業者が行うのは非常に面倒であり、しかも穴埋めの仕上がりが専門業者ほどきれいにならない（美観を損ねる）という問題があった。
【０００９】
そこで、本願発明は、ブロック壁体に線・管類を配設する作業を簡単に行え、且つその線・管類配設作業をその専門職でないブロック施工業者だけで行えるようにしたブロック壁体への線・管類配設方法を提供することを目的としている。
【課題を解決するための手段】
【００１０】
本願発明は、上記課題を解決するための手段として次の構成を有している。尚、本願発明は、内部に空間部を有する型枠状のブロックを上下・左右に組積みして構築したブロック壁体内に電線や管等の線・管類を配設するためのブロック壁体への線・管類配設方法を対象にしている。
【００１１】
又、本願のブロック壁体に使用されるブロックは、少なくとも前壁と後壁とを有し、該前後各壁間に縦向きの空間部を有したものであるが、前壁と後壁との間に中間壁（１つ又は２つ）を有したものも採用可能である。
【００１２】
本願請求項１の発明
そして、本願請求項１の発明のブロック壁体への線・管類配設方法は、次のようにして行われる。
【００１３】
まず、ブロック壁体を構成する任意のブロックの前壁部分を切断して該ブロックを分離前壁と前壁分離ブロックとに分離しておく。分離前壁と前壁分離ブロックとに分離される元のブロックは、ブロック壁体を構成する通常のブロックであり、その通常のブロックの前壁部分をコンクリートカッターで切断することで、該前壁を分離させることができる。尚、前壁を分離させるブロックは、ブロック壁体における線・管類の取込み位置に位置させるものであり、線・管類をブロック壁体の複数箇所から取込む場合には、それと同数のブロックに前壁分離加工を施しておく。又、線・管類の供給側がブロック壁体の屋外側に設置されている場合には、分離前壁のほぼ中央部に線・管類挿通用の貫通穴を形成しておく。
【００１４】
そして、上記した前壁分離ブロックと通常の各ブロックとを使用してブロック壁体を構築するが、前壁分離ブロックは、線・管類の基端側が取込まれる位置において前壁を切断した前面開口部が屋外側（前面）に向く姿勢で取付けられる。又、前壁分離ブロックの前面開口部の奥側には、各ブロックの空間部が上下に連続する縦空間部が位置している。尚、前壁分離ブロックは、通常のブロックの前壁がない状態のものであり、それらのブロックを使用してブロック壁体に組積みするのに特に問題は生じない。
【００１５】
次に、前壁分離ブロックが位置する前面開口部から線・管類をブロック壁体内に配設する。ところで、線・管類の配設構造として、該線・管類をブロック壁体の内外（厚さ方向）に貫通させるものでは、前壁分離ブロックを組付ける前に、予め前壁分離ブロックの残りの縦壁（後壁や中間壁）に線・管類挿通用の貫通穴を形成しておくとよい。尚、この貫通穴は、ブロック壁体を構築した後に前壁分離ブロックの残りの縦壁にドリルで穴開けしてもよい。そして、線・管類を屋外側から貫通穴に通すことで横向き貫通状態で配設する。他方、線・管類（フレキシブルなものに限る）を屋外側からブロック壁体内（縦空間部内）を通して屋内側に導く場合には、前壁分離ブロックに特別な加工を施す必要がなく、前壁分離ブロックの前面開口部から線・管類を縦空間部内に進入させていき、線・管類の先端側をブロック壁体上部から屋内側に導いて配設する。
【００１６】
その後（線・管類の配設後）、前壁分離ブロックの前面開口部に先に切断した分離前壁を組付けて、該前面開口部を塞ぐ。このとき、線・管類の供給側がブロック壁体の屋外側に設置されている場合には、ブロック壁体側に配設した線・管類の基端側を分離前壁の貫通穴に通して、ブロック壁体の屋外側に露出させておく。又、前面開口部の内周面とそこに組付けた分離前壁の外周面との間には、目地モルタルを充填して該分離前壁を前面開口部内に固定する。尚、分離前壁の貫通穴と線・管類との隙間は、適宜の方法で塞いでおく（例えば筒状のスペーサーを挿入したり充填剤を充填する）。
【００１７】
ここまでのブロック壁体の組立て作業及び線・管類の配設作業は、線・管類の接続等の高度の技術は不要なので、ブロック施工業者が単独で行うことができる。尚、線・管類の屋外側及び屋内側の最終接続は、専門業者に依頼するとよい。
【００１８】
本願請求項２の発明
本願請求項２の発明は、上記請求項１のブロック壁体への線・管類配設方法において、前壁分離ブロックの前面開口部に組付けられる分離前壁は、前面開口部の天井面及び底面に対してそれぞれピンにより結合させるようにしている。
【００１９】
この場合、分離前壁の上面及び下面に予めそれぞれピン嵌挿穴を形成しておく一方、前面開口部の上下にある上側ブロックの前壁下面（前面開口部の天井面となる）及び下側ブロックの前壁上面（前面開口部の底面となる）にもそれぞれピン嵌挿穴を形成しておき（それぞれ分離前壁側のピン嵌挿穴に対応する）、分離前壁とブロック前壁における上下対応位置にある２つのピン嵌挿穴に跨がってそれぞれピンを介設させるようにするとよい。尚、このピンによる結合部は、分離前壁の上面及び下面においてそれぞれ左右に２箇所ずつ設けるとよい。
【発明の効果】
【００２０】
本願請求項１の発明の効果
本願請求項１の発明のブロック壁体への線・管類配設方法によれば、次のような効果がある。
【００２１】
まず、多数のブロックを組積みして構築されたブロック壁体における線・管類取込み位置に、予め前壁を切断した前壁分離ブロックによる前面開口部が形成されており、その前面開口部から線・管類をブロック壁体側に配設し得るので、線・管類の配設作業時にブロック壁体に対して穴開け加工等の面倒な工事を行う必要がなく、従って、ブロック壁体に対する線・管類の配設作業が簡単となる。
【００２２】
又、線・管類を上記前面開口部からブロック壁体内に設置するだけなら、専門技術を要することなく、例えばブロック施工業者でも簡単に行うことができ、そのブロック施工業者がブロック壁体を構築するのに続いて線・管類の配設作業を行うことができ、作業の能率が格段に向上する。
【００２３】
さらに、線・管類の配設後にブロック壁体の前面開口部を分離前壁で塞ぐようにしているが、この作業も専門業務であるブロック施工業者が連続して行うので、ブロック壁体の外面を難無くきれいに仕上げることができる。
【００２４】
又、前壁分離ブロックと分離前壁とは、通常のブロックの前壁部分を切断することで形成できるので、該前壁分離ブロック及び分離前壁を特別に成形しておく必要がない（型枠で製造するブロック種類が多くならない）。
【００２５】
本願請求項２の発明
本願請求項２の発明は、上記請求項１のブロック壁体への線・管類配設方法において、分離前壁を前面開口部の天井面及び底面に対してそれぞれピンにより結合させるようにしている。
【００２６】
従って、この請求項２の発明では、上記請求項１の効果に加えて、後で組付けられる分離前壁であっても、その取付け強度が強くなり、地震等による大きな振動があっても後付けした分離前壁が脱落するというトラブルを未然に防止できるという効果がある。
【実施例】
【００２７】
図１〜図１０を参照して本願の実施例を説明すると、図１〜図８には第１実施例、図９〜図１０には第２実施例のブロック壁体への線・管類配設方法を示している。
【００２８】
尚、本願でブロック壁体１０に配設すべき線・管類４としては、電線や水管やガス管等があるが、図示の各実施例では、線・管類４として水管を採用しており、以下の説明では、線・管類４を単に水管ということがある。
【００２９】
図１〜図８に示す第１実施例
第１実施例のブロック壁体への線・管類配設方法では、図１に示す２種類の型枠状ブロック１，２を使用して、図３及び図４に示すような家屋の外壁となるブロック壁体１０を構築する。尚、以下の説明では、ブロック壁体１０において、屋外側を前面側といい、屋内側を後面側ということがある。
【００３０】
図１に示す各ブロック１，２は、それぞれコンクリート製で、左右長さの異なる３つの縦壁１１〜１３（又は２１〜２３）を有し、それらの縦壁１１〜１３（２１〜２３）を前後に所定間隔をもって左右２つの連結壁で連結して一体成形している。尚、図１の各ブロック１，２では、高さがそれぞれ１５cm、奥行き幅が３０cm程度のものを採用している。
【００３１】
図１における符号１のブロックは、左右長さが２０cmの前壁１１と、左右長さが４０cmの後壁１２と、左右長さが３０cmの中間壁１３とを有している。前壁１１の後面と中間壁１３の前面との間には前後幅が５cm程度の空間部１４を有しており、中間壁１３の後面と後壁１２の前面との間には前後幅が１０cm程度の空間部１５を有している。
【００３２】
図１における符号２のブロックは、左右長さが４０cmの前壁２１と、左右長さが２０cmの後壁２２と、左右長さが３０cmの中間壁２３とを有している。前壁２１の後面と中間壁２３の前面との間には前後幅が５cm程度の空間部２４を有しており、中間壁２３の後面と後壁２２の前面との間には前後幅が１０cm程度の空間部２５を有している。
【００３３】
尚、上記符号１及び符号２の各ブロックにおいて、前壁（１１，２１）、後壁（１２，２２）、中間壁（１３，２３）の各肉厚さは約５cmである。又、各ブロック１，２の各空間部１４，１５（２４，２５）はそれぞれ上下に貫通している。
【００３４】
そして、図１に示す２種類のブロック１，２を左右に並置すると、各ブロック１，２の前壁同士（１１と２１）、中間壁同士（１３と２３）、後壁同士（１２と２２）がそれぞれ連続状態で接合するようになっている。尚、以下の説明では、符号１のブロックを前壁小形側ブロックといい、符号２のブロックを前壁大形側ブロックということがある。
【００３５】
この実施例では、それぞれ同数の前壁小形側ブロック１，１・・と前壁大形側ブロック２，２・・を使用して、図３に示すような千鳥積み状のブロック壁体１０を構築するが、図３〜図８に示す第１実施例の施工例では、ブロック壁体１０の屋外側外面が供給側水管（既設水管）４Ａの近傍に位置するように設置される。
【００３６】
ところで、本願実施例では、ブロック壁体への線・管類配設方法を行うために、前壁小形側ブロック１の１つに、前壁１１部分を切断して、図２に示すように前壁分離ブロック１Ａと分離前壁１１Ａとに分離したものを使用する。この前壁１１の分離は、前壁小形側ブロック１を、図１のＡ−Ａ線部分で切断して、前壁１１を鎖線図示（符号１１Ａ）するように分離させる。尚、この前壁１１の分離加工は、ブロック施工業者であれば、コンクリートカッターを用いて容易に行うことができる。
【００３７】
第１実施例の線・管類配設方法は、図５〜図８に示すように、水管４をブロック壁体１０の厚さ方向に貫通させて配設するものである。そこで、第１実施例で使用される前壁分離ブロック１Ａには、図２に示すように、予め後壁１２及び中間壁１３にそれぞれ水管挿通用の貫通穴１２ａ，１３ａを形成しておくとともに、分離前壁１１Ａにも水管挿通用の貫通穴１８を形成しておく。尚、これらの穴開け加工は、ブロック施工業者であれば、ドリルを用いて簡単に行うことができる。
【００３８】
又、この第１実施例では、分離前壁１１Ａを後述する前面開口部１９に組付けるのに、上下２箇所ずつピン結合させるようにしているが、結合用のピン６，７としては、ステンレス鋼製で直径が約１０mm、長さが約３０mmのものが使用される。他方、分離前壁１１Ａの上面部及び下面部には、それぞれ２つのピン嵌挿穴１６，１６、１７，１７を形成している一方、前面開口部１９の天井面となる上側ブロック２の前壁２１の下面部及び前面開口部１９の底面となる下側ブロック２の前壁２１の上面部にそれぞれ２つのピン嵌挿穴２６，２６、２７，２７を形成している。そして、各ピン６，６、７，７は、後述するように（図６〜図８に示すように）ブロック壁体１０の前面開口部１９に分離前壁１１Ａを組込んだ状態で、上下の各ピン嵌挿穴（２６と１６、１７と２７）に跨がって配設されるが、そのピンの配設は次の構成及び方法によって可能にしている。
【００３９】
即ち、分離前壁１１Ａの上面部に形成した２つのピン嵌挿穴１６，１６、及び下側ブロック２の前壁上面部に形成した２つのピン嵌挿穴２７，２７は、それぞれピン径より僅かに大径でピン長さ（約３０mm）の半分長さよりやや短い深さ（例えば１０〜１２mm程度の深さ）となっている。他方、分離前壁１１Ａの下面部に形成した２つのピン嵌挿穴１７，１７、及び上側ブロック２の前壁下面部に形成した２つのピン嵌挿穴２６，２６は、それぞれピン径より僅かに大径でピン長さ（約３０mm）よりやや長い深さ（例えば３５mm程度の深さ）となっている。又、ピンの配設作業には、図２に示すようにピン挿入台８が２セット使用される。この各ピン挿入台８は、上下のブロック間の目地３の高さより薄い支持板８ａと持ち手８ｂとを有している。尚、支持板８ａは、１mm程度の厚さの板材（鉄板又はプラスチック板）でよい。
【００４０】
そして、各ピン６，６（７，７）は、次のようにして組付けられる。まず、図５に示すように、分離前壁１１Ａを前面開口部１９に組付ける前に、下向き開口の各ピン嵌挿穴２６，２６（及び１７，１７）内にそれぞれピン６，６（及び７，７）を完全収容させた状態でそれぞれピン挿入台８，８の支持板８ａで下方から支持しておく。この際、各ピン挿入台８，８は、ブロック２の前壁２１及び分離前壁１１Ａにそれぞれ適宜の手段（例えば粘着テープ）で仮止めしておくと、ピン挿入台８から手を離しても該ピン挿入台８及びピン６，６（又は７，７）が脱落することがない。次に、図５に鎖線図示（符号１１Ａ′）するように前面開口部１９内に分離前壁１１Ａを組込んだ後、図６に示すように各ピン挿入台８，８を目地部分から抜き外せば、各ピン６，７がそれぞれ自重で落下して、ピン下半部が下側の各ピン嵌挿穴１６，１７内に収容される。この状態では、各ピン６，７が上下２つのピン嵌挿穴（２６と１６、１７と２７）に跨がって介在されており、分離前壁１１Ａの抜外しは不能になる。
【００４１】
尚、上記したブロックの構造・形状等は適宜に設計変更可能であり、且つ上記の各種寸法もそれぞれ一例であって、許容される範囲で設計変更できるものである。
【００４２】
第１実施例のブロック壁体への線・管類配設方法では、予め図２に示すように、１つの前壁小形側ブロック１に対して、前壁１１を切断する加工と、各貫通穴（１２ａ，１３ａ，１８）を形成する加工と、各ピン嵌挿穴１６，１６、１７，１７を形成する加工を行うとともに、上側ブロック２の前壁下面部と下側ブロック２の前壁上面部にそれぞれ各ピン嵌挿穴２６，２６、２７，２７を形成する加工を行っておく。
【００４３】
そして、図１に示す通常の各ブロック１，２と、図２に示す加工済みの各ブロック２，２及び前壁分離ブロック１Ａを使用し、図３及び図４に示すように既に設置されている供給側水管４Ａに対面する位置に前壁分離ブロック１Ａとその上下に加工済みブロック２，２が位置するようにして、基礎コンクリート９上に所定段数だけ組積みしてブロック壁体１０を構築する。尚、上下・左右に隣接する各ブロック間には、目地モルタル３，３・・が介設されている。このブロック壁体１０には、図４に示すように供給側水管４Ａに対面する位置の２段目に、分離前壁１１Ａを切除してなる前面開口部１９が形成されているとともに、前壁分離ブロック１Ａの後壁１２及び中間壁１３にそれぞれ貫通穴１２ａ，１３ａが形成されている。又、このブロック壁体１０内には、上下に連続する前側縦空間部３１と後側縦空間部３２とが形成されている。尚、前側縦空間部３１は、前壁大形側ブロック２の前側空間部２４と前壁小形側ブロック１の前側空間部１４が上下に連続したものであり、後側縦空間部３２は、前壁大形側ブロック２の後側空間部２５と前壁小形側ブロック１の後側空間部１５が上下に連続したものである。
【００４４】
この第１実施例のブロック壁体への線・管類配設方法は、ブロック壁体１０の厚さ方向に水管４を貫通させて配置させるものであり、図５〜図７の順序で作業を行う。
【００４５】
まず、図５に示すように、短尺の水管４を前壁分離ブロック１Ａの各貫通穴１２ａ，１３ａを通して横向き姿勢で設置する。この場合、水管４は、両端部４ａ，４ｂがブロック壁体１０の内外各壁面よりそれぞれ若干長さだけ突出するようにして配設される。尚、屋内側の貫通穴１２ａと水管外周面との間には、筒体からなるスペーサー５が嵌挿される（このスペーサーは適宜の充填剤で代替えしてもよい）。
【００４６】
次に、前面開口部１９に分離前壁１１Ａを組込む前に、前面開口部１９の天井面（上側ブロック２の前壁２１の下面）に形成している下向き開口のピン嵌挿穴２６（左右２つある）にそれぞれ上側ピン６（左右２つ）を差し込んで、該ピン嵌挿穴２６の下端開口をピン挿入台８の支持板８ａで蓋をし、他方、分離前壁１１Ａの下面のピン嵌挿穴１７（左右２つある）にも下側ピン７（左右２つ）を差し込んで、該ピン嵌挿穴１７の下端開口をピン挿入台８の支持板８ａで蓋をする。この状態では、ピン６（及び７）の全長がピン嵌挿穴２６（及び１７）内に完全収容されている。尚、この各ピン挿入台８，８は、支持板８ａでピン嵌挿穴２６（及び１７）の下端開口を蓋した状態で、ブロック前壁２１の外面（及び分離前壁１１Ａの外面）に例えば粘着テープ等で仮止めしておくと、各ピン挿入台８，８から手を離すことができる。
【００４７】
その状態で、ピン７（及びピン挿入台８）付きの分離前壁１１Ａを鎖線図示（符号１１Ａ′）するように前面開口部１９内に組込む。そのとき、分離前壁１１Ａの貫通穴１８内に水管４の屋外側端部４ｂを挿通させる。尚、分離前壁１１Ａを前面開口部１９内に組込む前に、前面開口部１９の底面の両端部寄り位置にそれぞれ目地高さと同じ径の細棒（図示していない）を置いておくと、前面開口部１９の底面（下ブロック２の前壁２１上面）と分離前壁１１Ａの下面との間に目地用のスペースを確保できる。
【００４８】
次に、図６に示すように、上下のピン挿入台８，８を抜き外すと、各上側（下向き開口）のピン嵌挿穴２６，１７に完全収容されていた上下のピン６，７がそれぞれ自重で下動し、上側ピン６（２つある）がピン嵌挿穴２６とピン嵌挿穴１６に跨がって介在する一方、下側ピン７（２つある）もピン嵌挿穴１７とピン嵌挿穴２７に跨がって介在するようになり、分離前壁１１Ａの前後移動が不能になる。このとき、上記のように前面開口部１９の底面上の２本の細棒を置いておくと、分離前壁１１Ａが該各細棒で支持されて、その下面側に目地用スペースが確保される。
【００４９】
そして、図７に示すように、分離前壁１１Ａの外周面と前面開口部１９の内周面との隙間に目地モルタル３ａを充填すれば（上記２本の細棒は目地モルタル充填後に抜き外す）、分離前壁１１Ａを前面開口部１９内に固定できる。尚、分離前壁１１Ａの貫通穴１８と水管４との間の隙間に筒体からなるスペーサー５を嵌挿させる（このスペーサーは適宜の充填剤で代替えしてもよい）。
【００５０】
このように、分離前壁１１Ａの組込み状態では、図８に示すように該分離前壁１１Ａの上部及び下部がそれぞれ２つのピン６，６（及び７，７）で、上下のブロック前壁２１，２１に連結されているので、分離前壁１１Ａを後付けしたものであっても、その組付け強度を強くできる。
【００５１】
尚、ブロック壁体１０には、必要に応じて、前側縦空間部３１内に断熱材を充填することができ、又、後側縦空間部３２内に鉄筋入りのコンクリートを充填することができる。
【００５２】
ここまでの作業は、水管４をブロック壁体１０に貫通させたものでも、配管工事に特別な技術を要しないのでブロック施工業者だけで行える。又、ブロック壁体１０の外面における水管貫通部分の補修作業は、ブロック施工業者の専門分野であり、壁体外面をきれいに補修する（仕上げる）ことができる。
【００５３】
その後、図７に示すように、水管４の屋内側端部４ａには、屋内側配管４Ｃが接続される一方、水管４の屋外側端部４ｂと供給側水管４Ａとが接続管４Ｂで接続されるが、これらの配管接続作業は、専門の配管施工業者に依頼するとよい。
【００５４】
図９〜図１０の第２実施例
図９及び図１０に示す第２実施例のブロック壁体への線・管類配設方法は、ブロック壁体１０内の前側縦空間部３１を通して水管４を配設するようにしたものである。尚、この第２実施例では、水管４としてフレキシブルなものを使用する。
【００５５】
この第２実施例の場合も、図１に示すように１つの前壁小形側ブロック１の前壁１１を切断して、図２に示すように前壁分離ブロック１Ａと分離前壁１１Ａとに分離し、分離前壁１１Ａに貫通穴１８と上下２つずつのピン嵌挿穴１６，１７を加工しておく。又、前壁分離ブロック１Ａの上下に位置する各ブロック２，２の前壁２１，２１にもそれぞれピン嵌挿穴２６，２７を加工しておく。尚、この第２実施例の場合は、前壁分離ブロック１Ａの後壁１２及び中間壁１３に貫通穴を加工する必要はない。
【００５６】
そして、この第２実施例の場合も、多数の前壁小形側ブロック１及び前壁大形側ブロック２と１つの前壁分離ブロック１Ａとを使用して、第１実施例の場合と同様に、基礎コンクリート９上にブロック壁体１０を構築し（図９の状態）、該ブロック壁体１０の前面開口部１９からフレキシブル水管４の先端側を前側縦空間部３１内に進入させて、該水管先端側４ａをブロック壁体１０の上端から屋内側に導いておく。又、フレキシブル水管４の基端部４ｂは、分離前壁１１Ａの貫通穴１８に挿通させる。
【００５７】
続いて、上記第１実施例と同様に、前面開口部１９の上側ピン嵌挿穴２６（２つある）に上側ピン６を収容してピン挿入台８で蓋し、且つ分離前壁１１Ａ下側ピン嵌挿穴１７（２つある）に下側ピン７を収容してピン挿入台８で蓋した状態で、分離前壁１１Ａを前面開口部１９内に組込み、各ピン挿入台８，８を抜外すと、図１０に示すように、上側ピン６がピン嵌挿穴２６とピン嵌挿穴１６に跨がって介在する一方、下側ピン７がピン嵌挿穴１７とピン嵌挿穴２７とに跨がって介在するようになる。そして、分離前壁１１Ａの周囲に目地モルタル３ａを充填し、分離前壁１１Ａの貫通穴１８と水管との間にスペーサー５を嵌挿させる（充填剤で代替えしてもよい）と、ブロック施工業者の作業は完了する。尚、水管４の基端部４ｂは、供給側水管４Ａに接続するが、配管接続工事は、専門の配管施工業者に依頼すればよい。
【００５８】
この第２実施例のブロック壁体への線・管類配設方法でも、ブロック施工業者だけでブロック壁体１０の構築に続いて水管４の配設を簡単に行えるとともに、ブロック壁体１０の外面の補修も専門業者が行うので、壁面の仕上がりがきれいになる。
【００５９】
尚、上記各実施例では、ブロック壁体構築用のブロックとして、図１に示すように２種類（前壁小形側ブロック１と前壁大形側ブロック２）のものを使用しているが、他の実施例では、前壁と後壁とが同大きさの１種類のブロックのみを使用することができる。又、上記各実施例では、線・管類として水管を採用しているが、電線やガス管でも同様に扱える。
【図面の簡単な説明】
【００６０】
【図１】本願実施例の線・管類配設方法が採用されるブロック壁体に使用されるブロックの斜視図である。
【図２】本願第１実施例の線・管類配設方法を行う場合の図１のブロックの前加工状態を示す斜視図である。
【図３】図１及び図２の各ブロックを使用して構築したブロック壁体の正面図である。
【図４】図３のIV−IV拡大断面図である。
【図５】本願第１実施例の線・管類配設方法の水管配設手順の説明図である。
【図６】図５からの状態変化図である。
【図７】図６からの状態変化図である。
【図８】図７のVIII−VIII断面図である。
【図９】本願第２実施例の線・管類配設方法の水管配設手順の説明図である。
【図１０】図９からの状態変化図である。
【符号の説明】
【００６１】
１はブロック（前壁小形側ブロック）、２はブロック（前壁大形側ブロック）、４は線・管類（水管）、６，７はピン、８はピン挿入台、１０はブロック壁体、１１は前壁、１６，１７はピン嵌挿穴、１９は前面開口部、３１は縦空間部である。
【図１】
2006314163.tif 000003
【図２】
2006314163.tif 000004
【図３】
2006314163.tif 000005
【図４】
2006314163.tif 000006
【図５】
2006314163.tif 000007
【図６】
2006314163.tif 000008
【図７】
2006314163.tif 000009
【図８】
2006314163.tif 000010
【図９】
2006314163.tif 000011
【図１０】
2006314163.tif 000012